(57)【特許請求の範囲】
【請求項１】
ナースステーション内に設置されるナースコール親機（１）と、病室内にベッド単位で設置されるナースコール子機（２ａ、２ｂ、２ｃ、２ｄ、２ｅ）とから構成され、前記ナースコール親機には、前記ナースコール子機からの呼び出しを前記ベッド単位で表示するために連続的に配置された複数の個別表示灯（１０ａ、１０ｂ、１０ｃ、１０ｄ、１０ｅ）と、前記個別表示灯毎に対応し、前記ベッド単位で前記ナースコール子機の選局を行なうために連続的に配置された複数の個別選局ボタン（１１ａ、１１ｂ、１１ｃ、１１ｄ、１１ｅ）と、前記ナースコール子機に対する機能設定および前記病室に対する通話、一斉選択等の操作に使用するためのボタン群（１２）とを備え、
前記ナースコール親機には、前記ボタン群を操作して病室設定モードを設定することにより、前記個別選局ボタンを順次操作して前記病室と前記ベッドとの関連付けを示す対応テーブル（ＴＢ）を設定するための対応テーブル設定回路（１３ａ）を有するＣＰＵ（１３）と、前記対応テーブルの内容を記憶するための不揮発性メモリ（１４）とを備え、
前記ＣＰＵは、前記病室設定モードにおいて、前記個別選局ボタンの操作に応じて前記個別表示灯の点灯、消灯している状態が前記対応テーブルの設定中の設定内容を表示するための逐次表示回路（１３ｂ）を備え、
前記対応テーブルは、点灯している個別表示灯が１つの病室の先頭のベッドを表示するように設定されることを特徴とするナースコールシステム。
【請求項２】
前記ＣＰＵは、前記病室設定モードに設定されており、既に前記不揮発性メモリに設定内容が記憶されている場合、前記設定内容を前記個別表示灯に表示するための記憶状態表示回路（１３ｃ）を備えることを特徴とする請求項１記載のナースコールシステム。
【発明の詳細な説明】
【０００１】
【発明の属する技術分野】
【０００２】
本発明はナースコールシステムに係り、特に、ナースステーション内に設置されるナースコール親機にて、病室とベッドとの関連付けを行なうことができるナースコールシステムに関する。
【従来の技術】
【０００３】
従来から、この種のナースコールシステムとして、図３のブロック図に示す構成のナースコールシステムが提案されている。
【０００４】
同図に示すナースコールシステムにおいて、ナースステーション内に設置されるナースコール親機５１には、当該ナースコール親機の構成各部（回路）を制御するためのＣＰＵ６０と、ＣＰＵ６０により制御され、病室ａ、ｂ、ｃとベッドとの関連付けを示す対応テーブル（図示せず）が予め書き込まれているＲＯＭ６１と、ＣＰＵ６０により制御され、病室ａ、ｂ、ｃ内のベッド単位で患者からの呼び出しを表示（点灯表示、または点滅表示）するために連続的に配置された複数の個別表示灯、ここでは、病室ａ内に設置される２台のベッドにそれぞれ割り当てられた個別表示灯６２ａ、６２ｂ、病室ｂ内に設置される１台のベッドに割り当てられた個別表示灯６２ｃ、病室ｃ内に設置される２台のベッドにそれぞれ割り当てられた個別表示灯６２ｄ、６２ｅと、個別表示灯６２ａ、６２ｂ、６２ｃ、６２ｄ、６２ｅにそれぞれ対応し、病室ａ、ｂ、ｃ内のベッド単位で後述するナースコール子機５２ａ、５２ｂ、５２ｃ、５２ｄ、５２ｅの選局を行なうために連続的に配置された複数の個別選局ボタン６３ａ、６３ｂ、６３ｃ、６３ｄ、６３ｅと、ナースコール子機５２ａ、５２ｂ、５２ｃ、５２ｄ、５２ｅに対する機能設定および病室ａ、ｂ、ｃに対する通話、一斉選択等の操作に使用するためのボタン群６４とが備えられている。
【０００５】
病室ａ、ｂ、ｃ内のベッド単位でベッドサイドにそれぞれ設置される複数のナースコール子機、ここでは、２台のベッドを有する病室ａ内のベッドサイドにそれぞれ設置されるナースコール子機５２ａ、５２ｂ、１台のベッドを有する病室ｂ内のベッドサイドに設置されるナースコール子機５２ｃ、２台のベッドを有する病室ｃ内のベッドサイドにそれぞれ設置されるナースコール子機５２ｄ、５２ｅには、呼出ボタン７０ａ、７０ｂ、７０ｃ、７０ｄ、７０ｅがそれぞれ備えられている。
【０００６】
病室ａ、ｂ、ｃ内の所定の場所、例えば、天井には、伝送線路Ｌ53aを介してナースコール親機５１に接続された病室マイク５３ａおよび病室スピーカ５４ａ、伝送線路Ｌ53bを介してナースコール親機５１に接続された病室マイク５３ｂおよび病室スピーカ５４ｂ、伝送線路Ｌ53cを介してナースコール親機５１に接続された病室マイク５３ｃおよび病室スピーカ５４ｃがそれぞれ設置されている。
【０００７】
病室ａ、ｂ、ｃの出入口近傍には、廊下灯５５ａ、５５ｂ、５５ｃがそれぞれ設置されている。また、廊下灯５５ａには、各伝送線路Ｌ51a、Ｌ51bを介してナースコール子機５２ａ、５２ｂと各伝送線路Ｌ52a、Ｌ52bを介してナースコール親機５１とがそれぞれ接続されている。また、廊下灯５５ｂには、伝送線路Ｌ51cを介してナースコール子機５２ｃと伝送線路Ｌ52cを介してナースコール親機５１とがそれぞれ接続されている。さらに、廊下灯５５ｃには、各伝送線路Ｌ51d、Ｌ51eを介してナースコール子機５２ｄ、５２ｅと各伝送線路Ｌ52d、Ｌ52eを介してナースコール親機５１とがそれぞれ接続されている。
【０００８】
このように構成された従来例のナースコールシステムにおいて、病室内の患者、ここでは、病室ａ内のナースコール子機５２ａがベッドサイドに設置されている患者が、ナースステーション内の看護婦を呼び出すためにナースコール子機５２ａの呼出ボタン７０ａを操作すると、ナースコール子機５２ａの子機番号（詳述せず）を含む呼出信号が送出され、この呼出信号は、伝送線路Ｌ51a、廊下灯５５ａ、伝送線路Ｌ52aを介してナースコール親機５１のＣＰＵ６０に伝送される。なお、廊下灯５５ａでは、ナースコール子機５２ａからの呼出信号が入力された時点で、このナースコール子機５２ａに割り当てられている呼出表示灯（図示せず）を点灯させることにより、病室ａの出入口近傍に居る人物、例えば、巡回中の看護婦に対してナースコール子機５２ａがベッドサイドに設置されている患者からの呼び出しがあることを報知することができる。
【０００９】
また、ナースコール親機５１のＣＰＵ６０は、入力された呼出信号に含まれている子機番号に基づきナースコール子機５２ａからの呼び出しを検出し、このナースコール子機５２ａに割り当てられている個別表示灯６２ａを点灯表示、または点滅表示させるとともに、図示しない親機スピーカにて呼出音を鳴動させることにより、ナースステーション内の看護婦は、病室ａ内のナースコール子機５２ａがベッドサイドに設置されている患者からの呼び出しを確認することができる。
【００１０】
この後、ナースステーション内の看護婦が、呼出応答操作として、例えば、ナースコール親機５１のボタン群６４をなす通話ボタン（図示せず）を操作すると、この操作を検出したＣＰＵ６０は、ＲＯＭ６１に書き込まれている対応テーブル（図示せず）を参照して呼出元のナースコール子機５２ａが病室ａ内の先頭のベッドの当該ベッドサイドに設置されていることを検出し、伝送線路Ｌ53a、Ｌ53b、Ｌ53cのうち、検出された病室ａ内の病室マイク５３ａおよび病室スピーカ５４ａに接続される伝送線路Ｌ53aを選択することにより、呼出元の患者が使用する病室マイク５３ａおよび病室スピーカ５４ａとナースステーション内の看護婦が使用するナースコール親機５１の通話手段（図示せず）との間の通話ラインが形成され、この通話ラインを介して音声信号を送受信させることができ、双方向通話が成立する（詳述せず）。
【発明が解決しようとする課題】
【００１１】
しかしながら、従来例のナースコールシステムにおいて、病室ａ、ｂ、ｃとベッドとの関連付けを示す対応テーブル（図示せず）は、ナースコール親機５１のＲＯＭ６１に予め書き込ませておかなければならず、ナースコール親機５１の生産時点に対応テーブルを生産工場に対して提出し、このとき、ＲＯＭ６１に書き込むか、または生産工場からナースコール親機５１が新規納入された後にＲＯＭ６１を作成し、作業者が現場にて機器を分解して基板に当該ＲＯＭを搭載させる必要があった。また、病室内のベッド数を変更、例えば、レイアウトの変更を行なうことがあるが、この場合には、一旦納入されたＲＯＭ６１を交換する必要があり、この交換作業は新規納入時よりも大きな手間が必要とされ莫大な作業工数が発生する難点があった。
【００１２】
本発明は、上述の難点を解消するためになされたもので、病室とベッドとの関連付けを示す対応テーブルの設定内容を、ナースコール親機のボタン操作に基づき容易に書き換えることができるナースコールシステムを提供することを目的としている。
【課題を解決するための手段】
【００１３】
上述の目的を達成するため、本発明のナースコールシステムは、ナースステーション内に設置されるナースコール親機と、病室内にベッド単位で設置されるナースコール子機とから構成され、ナースコール親機には、ナースコール子機からの呼び出しをベッド単位で表示するために連続的に配置された複数の個別表示灯と、個別表示灯毎に対応し、ベッド単位でナースコール子機の選局を行なうために連続的に配置された複数の個別選局ボタンと、ナースコール子機に対する機能設定および病室に対する通話、一斉選択等の操作に使用するためのボタン群とを備え、ナースコール親機は、ボタン群を操作して病室設定モードを設定することにより、個別選局ボタンを順次操作して病室とベッドとの関連付けを示す対応テーブルを設定するための対応テーブル設定回路を有するＣＰＵと、対応テーブルの内容を記憶するための不揮発性メモリとを備え、ＣＰＵは、病室設定モードにおいて、個別選局ボタンの操作に応じて個別表示灯の点灯、消灯している状態が対応テーブルの設定中の設定内容を表示するための逐次表示回路を備え、不揮発性メモリに記憶される対応テーブルは、点灯している個別表示灯が１つの病室の先頭のベッドを表示するように設定される。
【００１４】
また、本発明のナースコールシステムを構成するナースコール親機のＣＰＵは、病室設定モードに設定されており、既に不揮発性メモリに設定内容が記憶されている場合、設定内容を個別表示灯に表示するための記憶状態表示回路を備えている。
【００１５】
このようなナースコールシステムによれば、ナースコール親機のボタン群が操作された病室設定モードにおいて、個別選局ボタンが順次操作されると、ＣＰＵの対応テーブル設定回路の制御により、病室とベッドとの関連付けを示す設定内容が不揮発性メモリ内に記憶された対応テーブルに書き込まれ、ＣＰＵの逐次表示回路は、個別選局ボタンの操作に応じて、対応テーブルの設定中の設定内容を個別表示灯を点灯、消灯させて表示し、この対応テーブルは、点灯している個別表示灯が１つの病室の先頭のベッドを表示するように設定される。また、病室設定モードにおいて、既に不揮発性メモリ内の対応テーブルに設定内容が記憶されている場合、ＣＰＵの記憶状態表示回路は、その設定内容を個別表示灯に表示させることができる。
【発明の実施の形態】
【００１６】
以下、本発明のナースコールシステムを適用した好ましい形態の実施例について、図面を参照して説明する。
【００１７】
図１は、本発明の一実施例によるナースコールシステムの構成を示すブロック図であり、ナースステーション内に設置されるナースコール親機１と、病室Ａ、Ｂ、Ｃ内のベッド単位でベッドサイドにそれぞれ設置される複数のナースコール子機、ここでは、２台のベッドを有する病室Ａ内のベッドサイドにそれぞれ設置されるナースコール子機２ａ、２ｂ、１台のベッドを有する病室Ｂ内のベッドサイドに設置されるナースコール子機２ｃ、２台のベッドを有する病室Ｃ内のベッドサイドにそれぞれ設置されるナースコール子機２ｄ、２ｅと、病室Ａ、Ｂ、Ｃ内の所定の場所、例えば、天井に設置される病室マイクおよび病室スピーカ、ここでは、病室Ａ内の天井に設置される病室マイク３ａおよび病室スピーカ４ａ、病室Ｂ内の天井に設置される病室マイク３ｂおよび病室スピーカ４ｂ、病室Ｃ内の天井に設置される病室マイク３ｃおよび病室スピーカ４ｃと、病室Ａ、Ｂ、Ｃの出入口近傍にそれぞれ設置される廊下灯５ａ、５ｂ、５ｃとから構成されている。また、廊下灯５ａには、各伝送線路Ｌ1a、Ｌ1bを介してナースコール子機２ａ、２ｂと各伝送線路Ｌ2a、Ｌ2bを介してナースコール親機１とがそれぞれ接続されている。また、廊下灯５ｂには、伝送線路Ｌ1cを介してナースコール子機２ｃと伝送線路Ｌ2cを介してナースコール親機１とがそれぞれ接続されている。また、廊下灯５ｃには、各伝送線路Ｌ1d、Ｌ1eを介してナースコール子機２ｄ、２ｅと各伝送線路Ｌ2d、Ｌ2eを介してナースコール親機１とがそれぞれ接続されている。さらに、ナースコール親機１には、各伝送線路Ｌ3a、Ｌ3b、Ｌ3cを介して病室マイク３ａおよび病室スピーカ４ａ、病室マイク３ｂおよび病室スピーカ４ｂ、病室マイク３ｃおよび病室スピーカ４ｃがそれぞれ接続されている。なお、各伝送線路Ｌ2a、Ｌ2b、Ｌ2c、Ｌ2d、Ｌ2eは、ナースコール子機２ａ、２ｂ、２ｃ、２ｄ、２ｅにそれぞれ割り当てられている。
【００１８】
また、ナースコール親機１には、後述するＣＰＵ１３により制御され、病室Ａ、Ｂ、Ｃ内のベッド単位で患者からの呼び出し、すなわち、呼出操作が行なわれたナースコール子機２ａ、２ｂ、２ｃ、２ｄ、２ｅからの呼び出しをそれぞれ表示（点灯表示、または点滅表示）するために連続的に配置された複数の個別表示灯１０ａ、１０ｂ、１０ｃ、１０ｄ、１０ｅと、個別表示灯１０ａ、１０ｂ、１０ｃ、１０ｄ、１０ｅにそれぞれ対応し、病室Ａ、Ｂ、Ｃ内のベッド単位でナースコール子機２ａ、２ｂ、２ｃ、２ｄ、２ｅの選局を行なうために連続的に配置された複数の個別選局ボタン１１ａ、１１ｂ、１１ｃ、１１ｄ、１１ｅと、後述するＣＰＵ１３により制御され、ナースコール子機２ａ、２ｂ、２ｃ、２ｄ、２ｅに対する機能設定および病室Ａ、Ｂ、Ｃに対する通話、一斉選択等の操作に使用するためのボタン群、ここでは、通話ボタン１２ａ、一斉選択ボタン１２ｂ、機能設定ボタン１２ｃ等で構成されるボタン群１２と、ボタン群１２の操作に基づき病室設定モードを設定することにより、個別選局ボタン１１ａ、１１ｂ、１１ｃ、１１ｄ、１１ｅを順次操作して病室Ａ、Ｂ、Ｃとベッドとの関連付けを示す対応テーブルＴＢ（後述する図２のテーブル構成図を参照）を設定するための対応テーブル設定回路１３ａ、病室設定モードにおいて、個別選局ボタン１１ａ、１１ｂ、１１ｃ、１１ｄ、１１ｅの操作に応じて個別表示灯１０ａ、１０ｂ、１０ｃ、１０ｄ、１０ｅの点灯、消灯している状態が対応テーブルＴＢの設定中の設定内容を表示するための逐次表示回路１３ｂ、病室設定モードに設定されており、既に後述する不揮発性メモリ１４に設定内容が記憶されている場合、この設定内容を個別表示灯１０ａ、１０ｂ、１０ｃ、１０ｄ、１０ｅに表示するための記憶状態表示回路１３ｃを有するＣＰＵ１３と、対応テーブルＴＢの内容（設定内容）を記憶するための不揮発性メモリ、例えば、フラッシュＲＯＭ、ＦＲＡＭ（強誘電体メモリ）等で構成される不揮発性メモリ１４とが備えられている。
【００１９】
さらに、ナースコール子機２ａ、２ｂ、２ｃ、２ｄ、２ｅは同様な構成であり、当該ナースコール子機を使用する患者が、ナースステーション内の看護婦を呼び出すために操作する呼出ボタン２０ａ、２０ｂ、２０ｃ、２０ｄ、２０ｅがそれぞれ備えられている。
【００２０】
このように構成された本発明の一実施例によるナースコールシステムにおいて、以下、その動作を具体的に説明する。
【００２１】
先ず、第１の動作として、生産工場からのナースコール親機１の新規納入時において不揮発性メモリ１４内の対応テーブルＴＢに書き込まれていた設定内容、ここでは、図２（ａ）のテーブル構成図に示すように、複数の病室Ａ、Ｂ、Ｃ、Ｄ、Ｅ（一部、図示せず）毎に１台のベッドが設置されており、それぞれのベッドに個別表示灯１０ａ、１０ｂ、１０ｃ、１０ｄ、１０ｅが割り当てられている初期状態の設定内容を、図１のブロック図に示す構成に対応させるように書き換える場合の動作（以下、納入時内容書換動作という。）について説明する。
【００２２】
図１のブロック図において、ナースステーション内の看護婦が、ナースコール親機１のボタン群１２を構成する通話ボタン１２ａ、一斉選択ボタン１２ｂ、機能設定ボタン１２ｃ、…のうち、予め設定されている複数のボタン、例えば、通話ボタン１２ａ、一斉選択ボタン１２ｂを同時に操作すると、この操作を検出したＣＰＵ１３は、当該ナースコール親機を通常モードから病室設定モードに遷移させる。なお、ボタン群１２を構成する通話ボタン１２ａ、一斉選択ボタン１２ｂ、機能設定ボタン１２ｃ、…は、通常モード、すなわち、呼出応答、一斉呼び出し、通話／呼出機能の設定等、…において操作される場合、それぞれ該当する単一のボタン操作で行なわれることから、看護婦が通常モードにおいて誤って病室設定モードに遷移させるようなことを防止できる。
【００２３】
上述のような手順で通常モードから病室設定モードに遷移されたナースコール親機１において、ＣＰＵ１３の記憶状態表示回路１３ｃは、不揮発性メモリ１４の対応テーブルＴＢに書き込まれていた新規納入時の設定内容、すなわち、図２（ａ）のテーブル構成図に示すように、病室Ａ、Ｂ、Ｃ、Ｄ、Ｅ（一部、図示せず）毎に１台のベッドが設置されていることを確認し、それぞれのベッドに割り当てられている個別表示灯１０ａ、１０ｂ、１０ｃ、１０ｄ、１０ｅを全て点灯させる。
【００２４】
この後、病室Ａ内に２台のベッドを、病室Ｂ内に１台のベッドを、病室Ｃ内に２台のベッドをそれぞれ設置させる設定内容を、ナースコール親機１の不揮発性メモリ１４内の対応テーブルＴＢに書き込むためには、ナースステーション内の看護婦が、先ず、病室Ａ内において先頭のベッドでないのにも拘わらず個別表示灯１０ｂが点灯しているベッドの当該ベッドサイドに設置されるナースコール子機２ｂに割り当てられている個別選局ボタン１１ｂを操作する。この操作を検出したＣＰＵ１３の逐次表示回路１３ｂは、点灯中の個別表示灯１０ｂを消灯させる。また、個別表示灯１０ｂの消灯を確認した看護婦が、病室Ｃ内において先頭のベッドでないのにも拘わらず個別表示灯１０ｅが点灯しているベッドの当該ベッドサイドに設置されるナースコール子機２ｅに割り当てられている個別選局ボタン１１ｅを操作すると、この操作を検出したＣＰＵ１３の逐次表示回路１３ｂは、点灯中の個別表示灯１０ｅを消灯させることにより、個別表示灯１０ａ、１０ｃ、１０ｄのみ点灯状態が保持される。
【００２５】
また、ナースコール親機１において、上述のような個別選局ボタン１１ｂ、１１１ｅの操作を検出したＣＰＵ１３の対応テーブル設定回路１３ａは、不揮発性メモリ１４内の対応テーブルＴＢの設定内容を、図２（ａ）のテーブル構成図に示すように、病室Ａ内には２台のベッドが設置され、病室Ｂ内には１台のベッドが設置され、病室Ｃ内には２台のベッドが設置されていることを示す設定内容に書き換える。
【００２６】
さらに、上述のような納入時内容書換動作を終了するためには、通常モードから病室設定モードへの遷移操作と同様、ナースステーション内の看護婦が、ナースコール親機１のボタン群１２を構成する通話ボタン１２ａ、一斉選択ボタン１２ｂ、機能設定ボタン１２ｃ、…のうち、予め設定されている通話ボタン１２ａ、一斉選択ボタン１２ｂを同時に操作する。この操作を検出したＣＰＵ１３は、点灯中の個別表示灯１０ａ、１０ｃ、１０ｄを全て消灯させることにより、当該ナースコール親機は、病室設定モードから通常モードに復旧（遷移）する。
【００２７】
なお、上述の第１の動作では、生産工場からのナースコール親機１の新規納入時において不揮発性メモリ１４内の対応テーブルＴＢに書き込まれていた設定内容、すなわち、図２（ａ）のテーブル構成図に示すように、複数の病室Ａ、Ｂ、Ｃ、Ｄ、Ｅ（一部、図示せず）毎に１台のベッドが設置されており、それぞれのベッドに割り当てられている個別表示灯１０ａ、１０ｂ、１０ｃ、１０ｄ、１０ｅが、ＣＰＵ１３の記憶状態表示回路１３ｃの制御により全て点灯されている場合において、図１のブロック図に示す構成に対応させるように書き換えるため、該当する個別表示灯１０ｂ、１０ｅを消灯させたが、個別表示灯１０ａ、１０ｂ、１０ｃ、１０ｄ、１０ｅが、ＣＰＵ１３の記憶状態表示回路１３ｃの制御により全て消灯されている場合においても、病室Ａ、Ｂ、Ｃ内の先頭のベッドの当該ベッドサイドに設置されるナースコール子機２ａ、２ｃ、２ｄに割り当てられている個別選局ボタン１１ａ、１１ｃ、１１ｄを順次、操作することにより、これらの操作を検出したＣＰＵ１３の逐次表示回路１３ｂが（消灯中の）個別表示灯１０ａ、１０ｃ、１０ｄを点灯させるとともに、ＣＰＵ１３の対応テーブル設定回路１３ａは、不揮発性メモリ１４内の対応テーブルＴＢの設定内容を書き換えることができる（詳述せず）。
【００２８】
次に、第２の動作として、上述の新規納入時とは異なる時期においてナースコール親機１の不揮発性メモリ１４内の対応テーブルＴＢに既に書き込まれていた設定内容、ここでは、図２（ｂ）のテーブル構成図に示すように、病室Ａ内には１台のベッドが設置され、病室Ｂ内には３台のベッドが設置され、病室Ｃ内には１台のベッドを設置されている設定内容を、病室内のベッド数の変更、例えば、レイアウトの変更等に伴い、図１のブロック図に示す構成に対応させるように書き換える場合の動作（以下、既存内容書換動作という。）について説明する。
【００２９】
図１のブロック図において、既存内容書換動作を行なうためには、上述の納入時内容書換時と同様、ナースステーション内の看護婦が、ナースコール親機１のボタン群１２を構成する通話ボタン１２ａ、一斉選択ボタン１２ｂ、機能設定ボタン１２ｃ、…のうち、予め設定されている複数のボタン、例えば、通話ボタン１２ａ、一斉選択ボタン１２ｂを同時に操作する。この操作を検出したＣＰＵ１３は、当該ナースコール親機を通常モードから病室設定モードに遷移させる。
【００３０】
上述のような手順で通常モードから病室設定モードに遷移されたナースコール親機１において、ＣＰＵ１３の記憶状態表示回路１３ｃは、不揮発性メモリ１４の対応テーブルＴＢに書き込まれていた既存の設定内容、すなわち、図２（ｂ）のテーブル構成図に示すように、病室Ａ内には１台のベッドが設置され、病室Ｂ内には３台のベッドが設置され、病室Ｃ内には１台のベッドを設置されていることを確認し、個別表示灯１０ａ、１０ｂ、１０ｃ、１０ｄ、１０ｅのうち、病室Ａ内の先頭のベッドの当該ベッドサイドに設置されるナースコール子機２ａに割り当てられている個別表示灯１０ａ、病室Ｂ内の先頭のベッドの当該ベッドサイドに設置されるナースコール子機２ｂに割り当てられている個別表示灯１０ｂ、病室Ｃ内の先頭のベッドの当該ベッドサイドに設置されるナースコール子機２ｅに割り当てられている個別表示灯１０ｅをそれぞれ点灯させる。
【００３１】
この後、病室Ａ内に２台のベッドを、病室Ｂ内に１台のベッドを、病室Ｃ内に２台のベッドをそれぞれ設置させる設定内容を、ナースコール親機１の不揮発性メモリ１４内の対応テーブルＴＢに書き込むためには、ナースステーション内の看護婦が、先ず、病室Ａ内において先頭のベッドでないのにも拘わらず個別表示灯１０ｂが点灯しているベッドの当該ベッドサイドに設置されるナースコール子機２ｂに割り当てられている個別選局ボタン１１ｂを操作する。この操作を検出したＣＰＵ１３の逐次表示回路１３ｂは、点灯中の個別表示灯１０ｂを消灯させる。また、個別表示灯１０ｂの消灯を確認した看護婦が、病室Ｂ内において先頭であるのにも拘わらず個別表示灯１０ｃが消灯しているベッドの当該ベッドサイドに設置されるナースコール子機２ｃに割り当てられている個別選局ボタン１１ｃを操作すると、この操作を検出したＣＰＵ１３の逐次表示回路１３ｂは、（消灯中の）個別表示灯１０ｃを点灯させる。また、個別表示灯１０ｃの点灯を確認した看護婦が、病室Ｃ内において先頭のベッドであるのにも拘わらず個別表示灯１０ｄが消灯しているベッドの当該ベッドサイドに設置されるナースコール子機２ｄに割り当てられている個別選局ボタン１１ｄを操作すると、この操作を検出したＣＰＵ１３の逐次表示回路１３ｂは、（消灯中の）個別表示灯１０ｄを点灯させる。さらに、個別表示灯１０ｄの点灯を確認した看護婦が、病室Ｃ内において先頭のベッドでないのにも拘わらず個別表示灯１０ｅが消灯しているベッドの当該ベッドサイドに設置されるナースコール子機２ｅに割り当てられている個別選局ボタン１１ｅを操作すると、この操作を検出したＣＰＵ１３の逐次表示回路１３ｂは、点灯中の個別表示灯１０ｄを消灯させる。
【００３２】
また、ナースコール親機１において、上述のような個別選局ボタン１１ｂ、１１ｃ、１１ｄ、１１ｅの操作を検出したＣＰＵ１３の対応テーブル設定回路１３ａは、不揮発性メモリ１４内の対応テーブルＴＢの設定内容を、図２（ｂ）のテーブル構成図に示すように、病室Ａ内には２台のベッドが設置され、病室Ｂ内には１台のベッドが設置され、病室Ｃ内には２台のベッドが設置されていることを示す設定内容に書き換える。
【００３３】
さらに、上述のような既存内容書換動作を終了するためには、納入時内容書換動作の終了操作、すなわち、通常モードから病室設定モードへの遷移操作と同様、ナースステーション内の看護婦が、ナースコール親機１のボタン群１２を構成する通話ボタン１２ａ、一斉選択ボタン１２ｂ、機能設定ボタン１２ｃ、…のうち、予め設定されている通話ボタン１２ａ、一斉選択ボタン１２ｂを同時に操作する。この操作を検出したＣＰＵ１３は、点灯中の個別表示灯１０ａ、１０ｃ、１０ｄを全て消灯させることにより、当該ナースコール親機は、病室設定モードから通常モードに復旧（遷移）する。
【００３４】
次に、第３の動作として、上述の第１、第２の各動作によりナースコール親機１の不揮発性メモリ１４内の対応テーブルＴＢに書き込まれた設定内容に基づき、病室内の患者がナースステーション内の看護婦を呼び出して双方向通話を成立させるための動作について説明する。
【００３５】
図１のブロック図において、病室内の患者、ここでは、病室Ａ内のナースコール子機２ａがベッドサイドに設置されている患者が、ナースステーション内の看護婦を呼び出すためにナースコール子機２ａの呼出ボタン２０ａを操作すると、ナースコール子機２ａの子機番号（詳述せず）を含む呼出信号が送出され、この呼出信号は、伝送線路Ｌ1a、廊下灯５ａ、伝送線路Ｌ2aを介してナースコール親機１のＣＰＵ１３に伝送される。なお、廊下灯５ａでは、ナースコール子機２ａからの呼出信号が入力された時点で、このナースコール子機２ａに割り当てられている呼出表示灯（図示せず）を点灯させることにより、病室Ａの出入口近傍に居る人物、例えば、巡回中の看護婦に対してナースコール子機２ａがベッドサイドに設置されている患者からの呼び出しがあることを報知することができる。
【００３６】
また、ナースコール親機１のＣＰＵ１３は、入力された呼出信号に含まれている子機番号に基づきナースコール子機２ａからの呼び出しを検出し、このナースコール子機２ａに割り当てられている個別表示灯１０ａを点灯表示、または点滅表示させるとともに、図示しない親機スピーカにて呼出音を鳴動させることにより、ナースステーション内の看護婦は、病室Ａ内のナースコール子機２ａがベッドサイドに設置されている患者からの呼び出しを確認することができる。
【００３７】
この後、ナースステーション内の看護婦が、呼出応答操作として、例えば、ナースコール親機１のボタン群１２をなす通話ボタン１２ａを操作すると、この操作を検出したＣＰＵ１３は、不揮発性メモリ１４内の図２（ａ）、（ｂ）のテーブル構成図に示す対応テーブルＴＢを参照して呼出元のナースコール子機２ａが病室Ａ内の先頭のベッドの当該ベッドサイドに設置されていることを検出し、伝送線路Ｌ3a、Ｌ3b、Ｌ3cのうち、検出された病室Ａ内の病室マイク３ａおよび病室スピーカ４ａに接続される伝送線路Ｌ3aを選択することにより、呼出元の患者が使用する病室マイク３ａおよび病室スピーカ４ａとナースステーション内の看護婦が使用するナースコール親機１の通話手段（図示せず）との間の通話ラインが形成され、この通話ラインを介して音声信号を送受信させることができ、双方向通話が成立する（詳述せず）。
【００３８】
なお、本発明の一実施例によるナースコールシステムでは、病室内のベッドの当該ベッドサイドに設置されるナースコール子機の数を５台のナースコール子機２ａ、２ｂ、２ｃ、２ｄ、２ｅとし、このナースコール子機の数に対応してナースコール親機１に備えられる個別表示灯および個別選局ボタンを、それぞれ５個づつの個別表示灯１０ａ、１０ｂ、１０ｃ、１０ｄ、１０ｅおよび個別選局ボタン１１ａ、１１ｂ、１１ｃ、１１ｄ、１１ｅとしたが、これらナースコール子機、個別表示灯および個別選局ボタンの数は５台、５個に限定されず、より複数、または少ない数設けることも可能であり、加えて、病室やベッドの数も任意の数で設定することができる。
【発明の効果】
【００３９】
以上の説明から明らかなように、本発明のナースコールシステムによれば、病室とベッドとの関連付けを示す設定内容が書き込まれる対応テーブルは、ナースコール親機の不揮発性メモリに記憶され、この対応テーブルの設定内容を、病室設定モードに遷移させた当該ナースコール親機のボタン操作に基づき容易に書き換えることができる。これにより、生産工場から新規に納入されたナースコール親機の不揮発性メモリ内に、欲しいとされる設定内容が書きまれていない対応テーブルが記憶されている場合や、病室内のベッド数が変更、例えば、レイアウトの変更が行なわれた場合でも、従来例と比較して、設定内容の書き換えの作業工数が減少し迅速化が図れるばかりでなく、ボタン操作を行なうナースステーション内の看護婦以外に人員の確保が不要となる。
【図面の簡単な説明】
【図１】  本発明の一実施例によるナースコールシステムの構成を示すブロック図である。
【図２】  図２（ａ）、（ｂ）は、本発明の一実施例によるナースコールシステムにおいて、ナースコール親機の不揮発性メモリ内に記憶される対応テーブルの構成例を示すテーブル構成図である。
【図３】  従来例のナースコールシステムの構成を示すブロック図である。
【符号の説明】
１‥‥‥ナースコール親機
２ａ、２ｂ、２ｃ、２ｄ、２ｅ‥‥‥ナースコール子機
１０ａ、１０ｂ、１０ｃ、１０ｄ、１０ｅ‥‥‥個別表示灯
１１ａ、１１ｂ、１１ｃ、１１ｄ、１１ｅ‥‥‥個別選局ボタン
１２‥‥‥ボタン群
１３‥‥‥ＣＰＵ
１３ａ‥‥‥対応テーブル設定回路
１３ｂ‥‥‥逐次表示回路
１３ｃ‥‥‥記憶状態表示回路
１４‥‥‥不揮発性メモリ
ＴＢ‥‥‥対応テーブル
【図１】
0003847630.tif 000002
【図２】
0003847630.tif 000003
【図３】
0003847630.tif 000004